(57)【要約】【課題】従来パウチで形成されていた使い棄て用の薄肉容器が、該容器内への収納物充填が行い難く、又柔らかすぎることからの使用上の不便、更に容器正立状態保持が困難である等の不便があったことから、使い棄て用であり乍ら従来のパウチよりも使い易く、容器内収納物を数回に分けて使用するために必要な、注出筒口部閉塞用栓の形成が容易な薄肉容器を提案する。【解決手段】容器体１から起立する上面閉塞注出筒４の上部外面へ、適宜間隙をおいて下方に破断可能な第１凹溝６を、上方に第２凹溝７を、それぞれ周設し、第２凹溝７上方の筒部分は頭部８に、第１、第２凹溝間筒部分は把持筒11として、それ等頭部と把持筒で栓10とし、その頭部８を、第１凹溝破断で形成された注出筒上端開口からの強制押込みで注出筒上端内へ押込み、かつ第２凹溝７内へ注出筒上端の開口16周縁を嵌合させることが可能とした。【選択図】図１
2006306472.tif 000002
【特許請求の範囲】
【請求項１】
容器体１から起立する上面閉塞の注出筒４の上部外面へ、適宜間隙をおいて下方に破断用の第１凹溝６を、上方に第２凹溝７を、それぞれ周設し、
第２凹溝７上方の筒部分は頭部８に、第１および第２凹溝間の筒部分は把持筒11に、これ等頭部と把持筒とを栓10として上記第１凹溝６の破断で栓10の分離が可能に形成し、
該栓は、上記破断で形成された開口16内を通して注出筒４上端部内へ頭部８を強制押込みし、開口周縁を第２凹溝７内へ嵌合可能に形成した
ことを特徴とする、合成樹脂製薄肉容器。
【請求項２】
上記頭部８を、上面中央部が高くかつ上面外周部が低いテーパ状の頭部とした
ことを特徴とする請求項１記載の合成樹脂製薄肉容器。
【請求項３】
上記第１凹溝６下方の注出筒部分外面と、該部分上方の把持筒11部分外面とから、上記第１凹溝６破断用の第１、第２指掛け突板12、13を突出させた
ことを特徴とする請求項１又は２記載の合成樹脂製薄肉容器。
【請求項４】
上記第１凹溝６下方の容器体部分と把持筒11とを紐状片14で一体に連結した
ことを特徴とする請求項１、２又は３記載の合成樹脂製薄肉容器。
【請求項５】
上記容器体１を、底板外周から起立する周壁３上部を二股状に分岐させて、その一方分岐筒を上記注出筒４に、又他方分岐筒は上端開口の充填筒５として全体をブロー成形した
ことを特徴とする請求項１、２、３又は４記載の合成樹脂製薄肉容器。
【発明の詳細な説明】
【技術分野】
【０００１】
本発明は、主として使い棄て用として用いられている、合成樹脂製の薄肉容器に関する。
【背景技術】
【０００２】
使い棄て用の薄肉容器として、近年パウチと称する詰め替え容器に使用する袋状容器が用いられているが、該容器は袋状であるため内容物の充填が容易でなく、持ち難く、容器が倒れ易い等の欠点があった。
このような欠点を除去するため、
ブロー成形により大きな筒状の充填口を有する薄肉容器を設け、上記充填口から収納物を充填した後、上記充填口を比較的小さな注出口に二次加工して使い棄て用の薄肉容器とすることが知られている。（特許文献１）。
【特許文献１】特開平１１−１３００３１号公報
【発明の開示】
【発明が解決しようとする課題】
【０００３】
本発明は使い易く、又安価に形成できる使い棄て容器に関するもので、特に口蓋付き注出筒の形成が容易であるよう設けたものである。
【課題を解決するための手段】
【０００４】
第１の手段として、容器体１から起立する上面閉塞の注出筒４の上部外面へ、適宜間隙をおいて下方に破断用の第１凹溝６を、上方に第２凹溝７を、それぞれ周設し、
第２凹溝７上方の筒部分は頭部８に、第１および第２凹溝間の筒部分は把持筒11に、これ等頭部と把持筒とを栓10として上記第１凹溝６の破断で栓10の分離が可能に形成し、
該栓は、上記破断で形成された開口16内を通して注出筒４上端部内へ頭部８を強制押込みし、開口周縁を第２凹溝７内へ嵌合可能に形成した。
【０００５】
第２の手段として、上記第１の手段を有すると共に上記頭部８を、上面中央部が高くかつ上面外周部が低いテーパ状の頭部とした。
【０００６】
第３の手段として、上記第１又は第２の手段を有し、かつ上記第１凹溝６下方の注出筒部分外面と、該部分上方の把持筒11部分外面とから、上記第１凹溝６破断用の第１、第２指掛け突板12、13を突出させた。
【０００７】
第４の手段として、上記第１、第２、又は第３の手段を有し、又上記第１凹溝６下方の容器体部分と把持筒11とを紐状片14で一体に連結した。
【０００８】
第５の手段として、上記第１、第２、第３、又は第４の手段を有し、かつ上記容器体１を、底板外周から起立する周壁３上部を二股状に分岐させて、その一方分岐筒を上記注出筒４に、又他方分岐筒は上端開口の充填筒５として全体をブロー成形した。
【発明の効果】
【０００９】
請求項１記載のようにすることで、注出筒４上端の開口部分開閉用栓10の形成を容器体成形と同時に成形でき、又その栓を注出筒上端から分離することも容易で、更にその栓により注出筒上端開口部分の密閉も容易である。
【００１０】
請求項２のようにすることで、開口された注出筒４上端部内への頭部８の強制押込みはテーパ面を利用して行えるから容易である。
【００１１】
請求項３のようにすることで、栓10を注出筒上端から分離することが容易となり、又その注出筒上端開口部分へ施栓し、又該栓を外すことも把持筒11に付設した第２指掛け突板13を、その把持筒と共に持って行うことが出来て便利である。
【００１２】
請求項４のようにすることで、栓10取外し後も紐状片14が容器体と栓とを連結するから、その栓を無くすことがなく、又栓を離しても該栓は容器体へ紐状片を介して連結されているからその栓の置き場所に困ることもない。
【００１３】
請求項５のようにすることで、容器体内への収納物充填筒５の上端閉口部の閉塞が容易で、容器の形成が容易である。
【発明を実施するための最良の形態】
【００１４】
以下図面について説明すると、１は合成樹脂製の薄肉容器体で、平板状の底板２外周から周壁３を起立し、該周壁上部を一方は小さく、他方は大きく二股状に分岐して、その一方の小さい分岐筒を注出筒４に、他方の大きい分岐筒は容器体内への収納物充填筒５に形成している。
【００１５】
上記容器は、成形時の形状と、その容器内へ収納物を充填した状態での形状と、容器内収納物を注出できるようにした状態での形状とをそれぞれ異にする。
【００１６】
成形時の形状は、図２が示すように注出筒４の上部外面へ、上下方向に適宜間隙をおいて下方に第１凹溝６を、上方に第２凹溝７を、それぞれ周設し、第２凹溝上方の筒部分は上面閉塞とし、かつその上面中央部は高く、上面外周部は低いテーパ状頭部８としている。上記両凹溝は、図２が示すように筒部外面に対して凹状に、かつ筒内面に対しては凸状に形成する。上記第１凹溝はＶ字状溝としてその溝底部は破断可能な薄肉線９に形成することが望ましい。第１凹溝６よりも上方の筒部分は図３が示すように栓10を形成するもので、該栓は、上記両凹溝間の筒部分を栓の把持筒11とする。第２凹溝７よりも上方筒部分が形成する既述テーパ状頭部８の下部外径は図３が示すように第１凹溝６内径よりも大径であり、該第１凹溝６の内径は第２凹溝７の外径とほぼ等しく形成している。
【００１７】
第１凹溝６よりも下方の注出筒部分外面と、該部分上方の把持筒部分とからは、第１凹溝６破断用の第１、第２指掛け突板12、13を突出させており、又第１凹溝下方の注出筒部分と把持筒11の外面とは、側面からみて連続する複数波形状の弾性紐状片14で連結している。
【００１８】
容器内へ収納物、例えば液体充填する際は、既述大径とした上端面開口の充填筒５から注入し、該充填後、その開口部を挟着することで板状シール部15とする。該挟着は、例えばチューブ容器下端を閉塞する場合のように加熱させた治具で行い、熱溶着させればよい。
【００１９】
容器体内収納物を注出する際は、既述注出筒４の第１凹溝６を破断し、第１凹溝６よりも上方筒部分が形成する栓10を第１凹溝下方の注出筒部分から切り離し、該切離し状態で容器を傾け、注出筒の上端開口から注出すればよい。注出後は図３が示すように栓10を上下逆向きとしてテーパ状頭部８を第１凹溝破断で形成された開口16内へ弾性変形させ強制押込みすることで密閉する。既述のように第１凹溝６は、筒部外面に対して凹状に、かつ筒部内面に対して凸状に形成されているから第１凹溝の上下方向中間部で破断されることで、その第１凹溝下半が形成する上記開口部分は、図３が示すように内向きフランジ状部を形成することとなり、よってテーパ状頭部８を注出筒の上端部内へ嵌合させたとき、その内向きフランジ状部の内端が、第２凹溝７内へ嵌合して栓10の抜出しを防止する。
【図面の簡単な説明】
【００２０】
【図１】本発明容器体の側面図である。
【図２】図１要部の拡大半断面図である。
【図３】図２の注出筒上部が形成する栓を破断させて分離し、該栓を倒立させて栓除去後の注出筒上端に形成された注出筒口部内へ嵌合させた状態を示す断面図である。
【符号の説明】
【００２１】
３  周壁                            ４  注出筒
５  充填筒                          ６  第１凹溝
７  第２凹溝                        ８  頭部
10  栓                              11  把持筒
12  第１指掛け突板                  13  第２指掛け突板
14  紐状片                          15  シール部
16  開口
【図１】
2006306472.tif 000003
【図２】
2006306472.tif 000004
【図３】
2006306472.tif 000005